(57)【特許請求の範囲】
【請求項１】
筒体状のケース本体と、ケース本体の後側に設けられており且つ操作ボタンを有する操作部と、ケース本体の前側又はケース本体の前側開口を塞ぐ前側キャップの裏側に設けられた点灯ユニットと、電池収納用の筒状体であってケース本体内に操作ボタンとともに前後方向に移動自在に設けられた内筒部と、内筒部に収納されたバネ部材とを備え、点灯ユニットは、光源の一方端子に電気接続され且つ内筒部に収納された電池の一方側電極に接触した一方側電極と、同光源の他方端子に電気接続された他方側電極とが同ユニットの面上に設けられており、バネ部材は、電池の他方側電極に弾性接触可能な後方端子部と、同光源のスイッチ可動接点を兼ねており且つ点灯ユニットの他方側電極に弾性接触可能な前方端子部と、内筒部の内壁に沿って配置されており且つ前方端子部と後方端子部との間を接続する接続部とを有していることを特徴とする懐中電灯。
【請求項２】
請求項１記載の懐中電灯において、前記操作部は、オルタネート動作式のプッシュ型の操作ボタンと、ケース本体の後端側に設けられており且つ操作ボタンを前後方向に移動可能に支持するとともに操作ボタンのプッシュ操作に伴って内筒部を前後方向に押圧するオルタネート機構部と、ケース本体の後端側に設けられており且つ操作ボタンの周りを上から覆う操作ボタンゴムとを有することを特徴とする懐中電灯。
【請求項３】
請求項２記載の懐中電灯において、前記操作ボタンゴムは、下面が開放された略筒状の薄皮ゴム部材であって、上面に相当する部位である天井部と、側面に相当する部位である側面部と、側面部の下端を内側に折り返して形成された略環状の折り返し部とを有していることを特徴とする懐中電灯。
【請求項４】
請求項３記載の懐中電灯において、前記操作ボタンゴムは、天井部の裏側に形成され且つ操作ボタンの先端部に係合される係合部を更に有していることを特徴とする懐中電灯。
【請求項５】
請求項３記載の懐中電灯において、前記操作ボタンゴムは、側面部が軸方向に蛇腹状に形成されていることを特徴とする懐中電灯。
【請求項６】
ケース本体の前側開口に前側キャップが着脱自在に設けられている場合の請求項３記載の懐中電灯において、前記オルタネート機構部は、ケース本体の後側開口の縁部に前記操作ボタンゴムの折り返し部をパッキンとして挟んで接するフランジを有しており、同機構部自体をケース本体の後側開口に挿入した状態でケース本体の前側開口から挿入された工具を用いて回転させ、ケース本体の後端側に操作ボタンゴムとともに螺着可能になっていることを特徴とする懐中電灯。
【請求項７】
請求項１記載の懐中電灯において、前記点灯ユニットは、前記光源が実装された基板を有し、基板の裏面上に前記一方側電極及び他方側電極が金属パターンで作成されていることを特徴とする懐中電灯。
【請求項８】
請求項１記載の懐中電灯において、前記ケース本体の内壁には、前記バネ部材の前方端子部の最外径部分が入り込んでバネ部材を抜け止め可能にする溝が形成されていることを特徴とする懐中電灯。
【請求項９】
請求項１記載の懐中電灯において、前記ケース本体、又はケース本体及び前側キャップの外表面が皮、樹脂その他の絶縁性膜で被覆されていることを特徴とする懐中電灯。
【請求項１０】
請求項９記載の懐中電灯において、前記ケース本体の外表面に周方向に窪みが形成されており、その窪みに絶縁性膜の上から略Ｃリング状の弾性を有したストラップ固定具が装着されていることを特徴とする懐中電灯。
【請求項１１】
前記前側キャップを有した請求項１記載の懐中電灯において、前記前側キャップの外面に、同キャップ自体を回転させてケース本体の前側開口に螺着するのに使用される錠締め工具の先端部が挿入される工具穴が形成されていることを特徴とする懐中電灯。
【発明の詳細な説明】
【技術分野】
【０００１】
本発明は専ら業務用として爆発性雰囲気等の危険環境において使用される防爆型の懐中電灯に関する。
【背景技術】
【０００２】
労働安全衛生法では、可燃性ガス等により爆発の危険のある場所で使用する電気機器については防爆構造の採用が義務付けられている。また、可燃性ガス等の漏れる可能性が殆どない場所において使用する場合であっても安全性を重視して防爆構造を有した電気機器を使用するのが一般的である。
【０００３】
防爆構造を有した懐中電灯の従来例として特許文献１に示すものがある。
【０００４】
【特許文献１】特開平７−３１０６５号公報
【発明の開示】
【発明が解決しようとする課題】
【０００５】
しかしながら、上記従来例による場合、防爆構造が採用されていることから部品点数が多く構造も複雑になる傾向があり、これらの点で低コスト化を図ることが困難という問題があった。
【０００６】
本発明は上記事情に鑑みて創案されたもので、その目的とするところは、防爆構造を採用したとしても部品点数が少なく構造を簡単にすることが可能な懐中電灯を提供することにある。
【課題を解決するための手段】
【０００７】
本発明に係る懐中電灯は、筒体状のケース本体と、ケース本体の後側に設けられており且つ操作ボタンを有する操作部と、ケース本体の前側又はケース本体の前側開口を塞ぐ前側キャップの裏側に設けられた点灯ユニットと、電池収納用の筒状体であってケース本体内に操作ボタンとともに前後方向に移動自在に設けられた内筒部と、内筒部に収納されたバネ部材とを備え、点灯ユニットは、光源の一方端子に電気接続され且つ内筒部に収納された電池の一方側電極に接触した一方側電極と、同光源の他方端子に電気接続された他方側電極とが同ユニットの面上に設けられており、バネ部材は、電池の他方側電極に弾性接触可能な後方端子部と、同光源のスイッチ可動接点を兼ねており且つ点灯ユニットの他方側電極に弾性接触可能な前方端子部と、内筒部の内壁に沿って配置されており且つ前方端子部と後方端子部との間を接続する接続部とを有している。
【０００８】
この発明によると、操作部の操作ボタンを操作すると、その操作に応じて内筒部が前方向に移動する。この際、電池については一方側電極が点灯ユニットの一方側電極に常時接触していることから、その位置に変化はないが、バネ部材については、後方端子部が弾性収縮するとともに前方端子部が前方向に移動し、点灯ユニットの他方側電極に弾性接触する。その結果、電池と光源との間が導通状態（オン状態）となり、光源が点灯する。一方、操作部の操作ボタンを逆操作すると、その操作に応じて内筒部がバネ部材の弾性力により後方向に移動し、これに伴って前方端子部が点灯ユニットの他方側電極から離れる。その結果、電池と光源との間が非導通状態（オフ状態）となり、光源が消灯する。
【０００９】
このようにバネ部材が電池の一方側電極を点灯ユニットの一方側電極に弾性接触させるだけでなく、バネ部材の前方端子部が光源のスイッチとしての役目を有している。しかもスイッチ接点が含まれた電気的構成部と操作ボタンが含まれた機械的構成部とが完全に分離されている。よって、防爆構造を採用したとしても部品点数が少なく構造が簡単であり、組立ても容易であることから、これらの点で低コスト化を図ることが可能になる。
【００１０】
操作部については、オルタネート動作式のプッシュ型の操作ボタンと、ケース本体の後端側に設けられており且つ操作ボタンを前後方向に移動可能に支持するとともに操作ボタンのプッシュ操作に伴って内筒部を前後方向に押圧するオルタネート機構部と、ケース本体の後端側に設けられており且つ操作ボタンの周りを上から覆う操作ボタンゴムとを有した構成とすることができる。
【００１１】
この発明によると、操作ボタンを操作ボタンゴムの上からオルタネート方式でプッシュ操作することができる。操作ボタンゴムを使用していることから、簡単な構成でありながら防爆性能が十分となり、この点でも低コスト化を図ることが可能になる。
【００１２】
操作ボタンゴムについては、下面が開放された略筒状の薄皮ゴム部材であって、上面に相当する部位である天井部と、側面に相当する部位である側面部と、側面部の下端を内側に折り返して形成された略環状の折り返し部とを有した構成にすることができる。
【００１３】
この操作ボタンゴムの場合、天井部の裏側に形成され且つ操作ボタンの先端部に係合される係合部を更に有した構成にすると良い。
【００１４】
この発明によると、操作ボタンゴムと操作ボタンとの間が常に離れず、操作上の品位が損なわれない。また、組み立ても複雑にならず、この点で低コスト化を図ることが可能になる。
【００１５】
この操作ボタンゴムの場合、側面部を軸方向に蛇腹状に形成すると良い。
【００１６】
この発明によると、操作ボタンゴムの内外の温度差により同ゴム自体が膨張・収縮しても蛇腹が延び縮みするだけであり、大きく目立たず製品としての品位が損なわれない。
【００１７】
ケース本体の前側開口に前側キャップが着脱自在に設けられている場合、オルタネート機構部については、ケース本体の後側開口の縁部に操作ボタンゴムの折り返し部をパッキンとして挟んで接するフランジを有しており、同機構部自体をケース本体の後側開口に挿入した状態でケース本体の前側開口から挿入された工具を用いて回転させ、ケース本体の後端側に操作ボタンゴムとともに螺着可能なようにすると良い。
【００１８】
この発明によると、操作ボタンゴムの折り返し部がケース本体の前側開口とオルタネート機構部のフランジとの間のパッキンとしての役目を果すことから、部品が少なく構造が簡単になる。しかもオルタネート機構部及び操作ボタンゴムを一緒にケース本体に取り付けることができ、組み立てが簡単になり、これらの点で低コスト化を図ることが可能になる。
【００１９】
点灯ユニットについては、光源の回路が作成された基板を有し、基板の裏面上に一方側電極及び他方側電極が金属パターンで作成すると良い。
【００２０】
この発明によると、光源が実装された基板に一方側電極及び他方側電極が作成されており、一方側電極及び他方側電極と光源の回路との電気接続も容易であることから、点灯ユニットの構成が簡単となり、この点で低コスト化を図ることができる。
【００２１】
ケース本体については、その内壁に前記バネ部材の前方端子部の最外径部分が入り込んでバネ部材を抜け止め可能にする溝を形成すると良い。
【００２２】
この発明によると、バネ部材の内筒部に対する組み立てが容易となり、この点で低コスト化を図ることが可能になる。
【００２３】
ケース本体については、その外表面を皮、樹脂その他の絶縁性膜で被覆すると良い。また、ケース本体以外に前側キャップを有する場合には、ケース本体及び前側キャップの外表面に上記絶縁性膜で被覆すると良い。
【００２４】
この発明によると、懐中電灯を落したりしても、ケース本体等の材質に左右されず、静電気や火花等が発生することがなく、防爆性能を高めることができる。また、ケース本体等に加工が容易な金属を使用することができ、この点で低コスト化を図ることが可能になる。
【００２５】
このケース本体を有する場合、ケース本体の外表面に周方向に窪みを形成し、その窪みに絶縁性膜の上から略Ｃリング状の弾性を有したストラップ固定具を装着するようにすると良い。
【００２６】
この発明によると、ケース本体等に穴を開けることなくストラップをストラップ固定具を通じて取り付けることが可能になる。ケース本体の加工やストラップ固定具のケース本体への装着も容易であり、この点で低コスト化を図ることが可能になる。また、ストラップ固定具がケース本体の窪みに装着されているので、容易に位置ズレしたり外れたりすることもない。
【００２７】
前側キャップがケース本体の前側開口に螺着されている場合、前側キャップの外面に、同キャップ自体を回転させてケース本体の前側開口に螺着するのに使用される錠締め工具の先端部が挿入される工具穴を形成すると良い。
【００２８】
この発明によると、錠締め工具を使用しない限り、前側キャップをケース本体から取り外すことができないことから、この点で安全性を高めることが可能になる。
【発明を実施するための最良の形態】
【００２９】
以下、本発明の実施の形態を図面を参照して説明する。図１は懐中電灯の縦断面図、図２は懐中電灯の外観図である。
【００３０】
ここに例として掲げる懐中電灯は、専ら業務用として使用される防爆構造を有したペン型及びプッシュ式のものであり、ケース本体１０、操作部２０、前側キャップ３０、点灯ユニット４０、内筒部５０、バネ部材６０及びストラップ固定具８０から構成されている。なお、本実施形態においては、光源としてＬＥＤを用いている。図１中９０は電池であって、ここでは単５型のアルカリ乾電池を合計３本用いている。
【００３１】
ケース本体１０は、本実施形態においてはアルミ合金を加工して作成された円筒状体であって、前側に若干拡径されたテーパ部分を有している。ケース本体１０の前側、後側には前側開口１４、後側開口１５が各々形成されている。ケース本体１０の後側の外表面にはストラップ固定具８０を取り付けるための窪み１１が周方向全周にわたって形成されている。ケース本体１０の外表面は、懐中電灯を落したときの静電気や火花の発生を防止するために絶縁性膜の本皮１６で被覆されている。
【００３２】
ケース本体１０の前側開口１４の内周面には、前側キャップ３０を螺着するためのネジが切られている。後側開口１５の内周面にも、操作部２０を螺着するための取り付けるためのネジが切られている。
【００３３】
ケース本体１０の前側寄りの内壁には、バネ部材６０の前方端子部６１の最外径部分６１１（後述する）が入り込んでバネ部材６０を抜け止め可能にする溝１２が周方向全周にわたって形成されている。ケース本体１０の後端面縁部には、操作ボタンゴム２３の折り返し部２３４の環状突起部２３５（後述する）が挿入される環状の溝１３が形成されている。
【００３４】
前側キャップ３０は、本実施形態においてはアルミ合金を加工して作成された環状体であって、ケース本体１０の前側開口１４に挿入して螺着されるフランジを有した蓋部品である。前側キャップ３０の正面中央部には開口３１が形成されており、その裏側には点灯ユニット４０が固着されている。前側キャップ３０の外周面には螺着用のネジが切られている。
【００３５】
前側キャップ３０の正面には、同キャップ自体を回転させてケース本体１０の前側開口１４に螺着するのに使用されるネジ締め工具の先端部（図示省略）が挿入される工具穴３２（図２（ａ）参照）が溝状に形成されている。前側キャップ３０の正面及び開口３１の内周面には、懐中電灯を落したときの火花の発生を防止するために絶縁性膜のナイロン膜３３で被覆されている。
【００３６】
点灯ユニット４０は、本実施形態においては図１に示すようにＬＥＤ４１、基板４２、ポリカーボネート製の透明体である前側カバー４３、アクリル製のレンズ４４及びアルミ製のアダプター４５から構成されている。前側カバー４３及びレンズ４４については、基板４２の表面上にＬＥＤ４１の反射鏡も兼ねたアダプター４５を介して固着されている。点灯ユニット４０が前側キャップ３０の裏側に固着された状態では、前側カバー４３が前側キャップ３０の開口３１に対向して配置され、基板４２の裏面が露出される。
【００３７】
図３はＬＥＤ４１及び基板４２を示している。基板４２の表面にはＬＥＤ４１が実装されており、基板４２の裏面上には円形の一方側電極４２１及び環状の他方側電極４２２が銅パターンで作成されている。ＬＥＤ４１の一方端子４１１、他方端子４１２については、何れも基板４２に形成されたスルーホールを各々通され、一方側電極４２１、他方側電極４２２に各々ハンダ付けにより電気接続される。
【００３８】
一方側電極４２１には、図１に示すように内筒部５０に収納された図中左側の電池９０のプラス側電極が接触する一方、他方側電極４２２には、次のバネ部材６０の前側端子部６１（後述する）に弾性接触可能になっている。
【００３９】
図４はバネ部材６０を示している。バネ部材６０は、本実施形態においてはニッケルメッキ鋼線を加工して作成され、内筒部５０に収納可能になっている。バネ部材６０は、図１中右側の電池９０のマイナス側電極に弾性接触可能な複数回巻回された円錐状の後方端子部６２と、ＬＥＤ４１のスイッチ可動接点を兼ねており且つ点灯ユニット４０の他方側電極４４に弾性接触可能な複数回巻回された略円筒状の前方端子部６１と、内筒部５０の内壁に沿って配置され且つ前方端子部６１と後方端子部６２との間を接続する直線状の導電部６３とを有する。前方端子部６１のうち図４（ａ）中最も下に位置する部分が最外径部分６１１となっている。
【００４０】
図５は内筒部５０を示している。内筒部５０は、本実施形態においては電池９０を収納する前端面開放の円筒状体であって、熱硬化性樹脂を加工して作成されている。内筒部５０内の穴５１の内壁にはバネ部材６０の導電部６３が挿入される溝５２が軸方向に形成されている。内筒部５０の穴５１にバネ部材６０が入れられる。バネ部材６０のうち後方端子部６２については穴５１の内底に接して配置され、導電部６３については溝５２内に配置され、前方端子部６１については内筒部５０外に配置される。
【００４１】
このような内筒部５０が図１に示すようにケース本体１０内に前後方向αに移動自在に設けられている。内筒部５０と操作部２０とは単に接触しているだけであるが、バネ部材６０の最外径部分６１１がケース本体１０内の溝１２に挿入されていることから、前側キャップ３０がケース本体１０から外された状態で内筒部５０及びバネ部材６０がケース本体１０の前側開口１４から抜け落ちることはない。
【００４２】
操作部２０は、ケース本体２０の後側に設けられたスイッチ操作部品であって、本実施形態においては、プッシュ式の操作ボタン２１と、ケース本体１０の後端側に設けられており且つ操作ボタン２１を前後方向αに移動可能に支持するとともに操作ボタン２１のプッシュ動作に伴って内筒部５０を前後方向αに押圧するオルタネート機構部２２と、ケース本体１０の後端側に設けられており且つ内筒部５０の後端側と操作ボタン２１の基端側との間に連結されたオルタネート機構部２２と、ケース本体１０の後端側に設けられており且つ操作ボタン２１の周りを上から覆う操作ボタンゴム２３とを有している。
【００４３】
図９は操作ボタンゴム２３を示している。操作ボタンゴム２３は、エチレン・プロピレンゴム製の下面が開放された略円筒状の薄皮ゴム部材であって、上面に相当する部位である円板状の天井部２３１と、天井部２３１の裏側に形成され且つ操作ボタン２１の先端部に係合される断面逆Ｌ字の略環状体である係合部２３２と、側面に相当する部位であり且つ軸方向に蛇腹状に形成された側面部２３３と、側面部２３３の下端を内側に折り返して形成された環状の折り返し部２３４と、折り返し部２３４の先端部に軸方向に向けて形成された環状突起部２３５とを有している。
【００４４】
環状突起部２３５については、ケース本体１０の溝１３に挿入され、操作ボタンゴム２３をケース本体１０に取り付ける際の位置決め部材としての役目を果たす。折り返し部２３４については、オルタネート機構部２２をケース本体１０に取り付ける際のパッキンとしての役目を果たす。
【００４５】
図６は操作ボタン２１を示している。操作ボタン２１は、ポリアセタール製の加工品である略筒状体であって、その後端部に軸方向に沿って抜け止めガイド用の突起２１１が９０度ピッチ間隔で合計４つ形成されている。突起２１１の後端面には、その中央線を基準として両側に対称に下り傾斜した一対のテーパ面２１１１が形成されている。操作ボタン２１の先端側の外周面に操作ボタンゴム２３の係合部２３２の先端が係合される環状溝２１２が形成されている。
【００４６】
オルタネート機構部２２は、図１に示すようにポリアセタール製の軸状加工品であって、固定部２２１と可動部２２２とを有している。
【００４７】
図７は固定部２２１を示している。固定部２２１は、外周面にネジが切られてた略筒状体であって、ケース本体１０の後側開口１５に挿入されて螺着可能になっている。固定部２２１の先端側縁部にはフランジ２２１４が形成されている。フランジ２２１４は、操作ボタンゴム２３の折り返し部２３４に対応した寸法の環状体であって、オルタネート機構部２２がケース本体１０に取り付けられた状態で、ケース本体１０の後側開口１５の縁部に操作ボタンゴム２３の折り返し部２３４を挟んで接するようになっている。
【００４８】
固定部２２１の中央部には操作ボタン２１が後方から挿入されて軸方向に移動可能に軸支する中央貫通穴２２１１を有している。中央貫通穴２２１１の内壁には、操作ボタン２１の突起２１１が挿入される軸方向に沿ってガイド溝２２１２が９０度ピッチ間隔で合計４つ形成されている。ガイド溝２２１２には、操作ボタン２１の突起２１１だけでなく、次に説明する可動部２２２のガイド突起２２１１が前後方向に並べて挿入される。ガイド溝２２１２の後端側には次に説明する可動部２２２の傾斜案内面２２２２に対応して傾斜案内溝２２１３が連通して形成されている。
【００４９】
図８は可動部２２２を示している。可動部２２２は、固定部２２１の中央貫通穴２２１１に挿入されて軸方向に移動自在な略筒状体である。可動部２２２の後端にはフランジ２２２４が形成されている。
【００５０】
可動部２２２の外周面には、固定部２２１のガイド突起２１１と同様に、固定部２２１のガイド溝２２１２に挿入されるガイド突起２２２１が９０度ピッチ間隔で軸方向に沿って合計４つ形成されている。可動部２２２及びガイド突起２２２１の先端面には、テーパ面２２２２が９０度ピッチ間隔で合計４つ形成されている。
【００５１】
可動部２２２の後端面の中央部には、内筒部５０の後端面中央部の突起部分が入り込むに接した穴２２２５が形成されており、穴２２２５の周りには、組み立て時に使用される工具（図示省略）が挿入される工具穴２２２３が溝状に合計２つ形成されている。
【００５２】
なお、同工具は、前側キャップ３０をケース本体１０に錠締めする際に使用される錠締め工具とは別であって、組み立て完了後のオルタネート機構部２２を操作ボタンゴム２３と一緒にケース本体１０に螺着する際に使用されるものである。即ち、ケース本体１０に内筒部５０及びバネ部材６０が組み込まれていない状態で、ケース本体１０の前側開口１４から挿入され、オルタネート機構部２２自体を回転させるようになっている。
【００５３】
上記したオルタネート機構部２２により操作ボタン２１のオルタネート動作が得られるのは以下の理由による。
【００５４】
即ち、操作ボタン２１がバネ部材６０の弾性力に抗して押されると、これに伴って可動部２２２が固定部２２１から下方に移動する。この際、操作ボタン２１のテーパ面２１１１が可動部２２２のテーパ面２２２２に接触すると、可動部２２２が若干回転する。その後、操作ボタン２１を押すのを止めると、バネ部材６０の弾性力により操作ボタン２１の固定部２２１が上方に戻される。可動部２２２の角度が若干変わっていることから、可動部２２２のテーパ面２２２２のエッジ部分が固定部２２１の傾斜案内溝２２１３に引っ掛かる。よって、操作ボタン２１が引っ込んだ状態が維持される。
【００５５】
そして、操作ボタン２１が再び押されると、これに伴って可動部２２２が固定部２２１から下方に移動する。この際、操作ボタン２１のテーパ面２１１１が可動部２２２のテーパ面２２２２に接触すると、可動部２２２が上記と同一方向に若干回転する。その後、操作ボタン２１を押すのを止めると、バネ部材６０の弾性力により操作ボタン２１の固定部２２１が上方に戻される。可動部２２２の角度が元に戻されていることから、可動部２２２のテーパ面２２２２のエッジ部分が固定部２２１の傾斜案内溝２２１３に引っ掛からない。よって、操作ボタン２１が元の位置まで戻される。その結果、オルタネート動作が実現される。
【００５６】
ストラップ固定具８０は、本実施形態においては図２に示すように略Ｃリング状の弾性を有した燐青銅の加工品であって、ケース本体１０の窪み１１に本皮１６の上から装着可能になっている。ストラップ固定具８０の折り曲げ部分８１に図外のストラップを結び付けるようにする。
【００５７】
以上のように構成された懐中電灯については、操作ボタンゴム２３の上から操作ボタン２１を指で押すと、内筒部５０がオルタネート機構部２０の可動部２２とともに前方に移動する。この際、電池９０についてはその先端部が基板４２に接していることから移動することはない。バネ部材６０については、内筒部５０の移動に伴って縮むとともに、前方端子部６１が前方に移動し、他方側電極４２２に接触して電気接続される。即ち、オン状態となり、ＬＥＤ４４が点灯する。その後、操作ボタンゴム２３から指を離しても、オルタネート機構部２０の機能により、操作ボタン２１の位置が維持され、ＬＥＤ４４が点灯し続け、操作ボタンゴム２３も縮んだままである。図１０はこの状態の懐中電灯を示している。
【００５８】
そして、操作ボタンゴム２３の上から操作ボタン２１を指で再び押して離すと、オルタネート機構部２０の機能により、内筒部５０がバネ部材６０の弾性力によりオルタネート機構部２０の可動部２２とともに後方に移動する。よって、操作ボタン２１が元の位置に戻され、操作ボタンゴム２３の元の状態に戻る。このように内筒部５０が後方に移動すると、バネ部材６０が伸びて元の状態に戻ると同時に前方端子部６１が後方に移動し、他方側電極４２１から離れる。即ち、オフ状態となり、ＬＥＤ４４が消灯する。
【００５９】
このように上記した懐中電灯による場合、防爆構造を採用しているにもかかわらず従来に比べて部品点数が少なく構造が単純であり、組み立ても容易であることから、十分な低コスト化を図ることが可能になる。また、防爆性能が十分に高く、使用中に前側キャップ３０をケース本体１０から簡単に外せないことから、安全性も高めることが可能になった。
【００６０】
なお、本発明に係る懐中電灯については、上記実施形態に限定されず、防爆構造を採用しないものにも適用可能であり、操作ボタンについては、スライド式等に設計変更してもかまわない。ケース本体、光源の種類、点灯ユニット、操作部及び電池の形態等についても問われず、前側キャップを有しないものにも適用可能である。
【図面の簡単な説明】
【００６１】
【図１】本発明の実施の形態に係る懐中電灯を説明するための図であって、同懐中電灯の縦断面図である。
【図２】同懐中電灯の外観を示す図であって、（ａ）は正面図、（ｂ）は側面図、（ｃ）は背面図である。
【図３】同懐中電灯の点灯ユニットのＬＥＤ及び基板を示す図であって、（ａ）は側面図、（ｂ）は底面図である。
【図４】同懐中電灯のバネ部材を示す図であって、（ａ）は正面図、（ｂ）は側面図である。
【図５】同懐中電灯の内筒部の縦断面図である。
【図６】同懐中電灯の操作部の操作ボタンを示す図であって、（ａ）は斜視図、（ｂ）縦断面図である。
【図７】同操作部のオルタネート機構部の固定部を示す図であって、（ａ）は斜視図、（ｂ）は縦断面図である。
【図８】同操作部のオルタネート機構部の可動部を示す図であって、（ａ）は後方側から見た斜視図、（ｂ）は前方側から見た斜視図、（ｃ）は縦断面図である。
【図９】同操作部の操作ボタンゴムを示す図であって、（ａ）は側面図、（ｂ）は縦断面図である。
【図１０】同懐中電灯が点灯している様子を示すその斜視図である。
【符号の説明】
【００６２】
１０ ケース本体
１１ 窪み
１２ 溝
１４ 前側開口
１５ 後側開口
１６ 本皮（絶縁性膜）
２０ 操作部
２１ 操作ボタン
２２ オルタネート機構部
２２１ 固定部
２２２ 可動部
２３ 操作ボタンゴム
２３１ 天井部
２３２ 係合部
２３３ 側面部
２３４ 折り返し部
３０ 前側キャップ
３２ 工具穴
３３ ナイロン膜（絶縁性膜）
４０ 点灯ユニット
４１ ＬＥＤ（光源）
４２ 基板
４２１ 一方側電極
４２２ 他方側電極
５０ 内筒部
６０ バネ部材
６１ 前方端子部
６２ 後方端子部
６３ 導電部（接続部）
８０ ストラップ固定具
９０ 電池
α 前後方向
【図１】
0005072656.tif 000002
【図２】
0005072656.tif 000003
【図３】
0005072656.tif 000004
【図４】
0005072656.tif 000005
【図５】
0005072656.tif 000006
【図６】
0005072656.tif 000007
【図７】
0005072656.tif 000008
【図８】
0005072656.tif 000009
【図９】
0005072656.tif 000010
【図１０】
0005072656.tif 000011